(57)【要約】【課題】遊技者が感じる騒音の低減を図り、遊技する遊技機の演出音をはっきりと聴取可能とする。【解決手段】遊技状態に応じた演出音を遊技者に向けて出力する演出音出力手段と、所定箇所の騒音を集音する集音手段と、該集音手段によって集音した騒音と逆位相の抑圧音を生成するための抑圧音生成手段と、抑圧音を指向性を高めて出力する抑圧音出力手段と、を備え、前記集音手段は遊技領域を覆うガラス面の振動を検出することにより遊技者の前方で発生する騒音を集音し、前記抑圧音出力手段は発射装置に供給する遊技球を貯留するための貯留皿が形成された貯留皿形成台の上部に設置されて遊技者の頭部に向けて抑圧音を出力する、ことを特徴とする遊技機。【選択図】図２２
2015188575.tif 000002
【特許請求の範囲】
【請求項１】
遊技状態に応じた演出音を遊技者に向けて出力する演出音出力手段と、所定箇所の騒音を集音する集音手段と、該集音手段によって集音した騒音と逆位相の抑圧音を生成するための抑圧音生成手段と、抑圧音を指向性を高めて出力する抑圧音出力手段と、を備え、
前記集音手段は遊技領域を覆うガラス面の振動を検出することにより遊技者の前方で発生する騒音を集音し、
前記抑圧音出力手段は発射装置に供給する遊技球を貯留するための貯留皿が形成された貯留皿形成台の上部に設置されて遊技者の頭部に向けて抑圧音を出力する、ことを特徴とする遊技機。
【請求項２】
遊技状態に応じた演出音を遊技者に向けて出力する演出音出力手段と、所定箇所の騒音を集音する集音手段と、該集音手段によって集音した騒音と逆位相の抑圧音を生成するための抑圧音生成手段と、抑圧音を指向性を高めて出力する抑圧音出力手段と、を備え、
前記集音手段は発射装置に供給する遊技球を貯留するための貯留皿が形成された貯留皿形成台の上部に設置されて遊技者の前方で発生する騒音を集音し、
前記抑圧音出力手段は遊技機の上端部近傍に設置されて遊技者の頭部に向けて抑圧音を出力する、ことを特徴とする遊技機。
【請求項３】
騒音源から前記集音手段までの距離と前記抑圧音出力手段から遊技者の耳までの距離との和は、該騒音源から遊技者の耳までの距離とほぼ同じである、ことを特徴とする請求項請求項１又は２に記載の遊技機。
【請求項４】
前記抑圧音出力手段は、貯留皿形成台上から遊技者の頭部方向に倒立して伸長する傾斜壁の上端部に設けられている、ことを特徴とする請求項１又は２に記載の遊技機。
【請求項５】
前記集音手段は、貯留皿形成台上から遊技者の頭部方向に倒立して伸長する傾斜壁の上端部近傍に設けられている、ことを特徴とする請求項２に記載の遊技機。
【請求項６】
前記傾斜壁には遊技者が椅子から立ち上がる際の持ち手となる掴み部が形成されている、ことを特徴とする請求項４又は５に記載の遊技機。
【請求項７】
前記抑圧音出力手段から出力する抑圧音の位相の調整を行う位相調整機構を備えた、ことを特徴とする請求項１又は２に記載の遊技機。
【請求項８】
前記抑圧音出力手段から出力する抑圧音の音量の調整を行う音量調整機構を備えた、ことを特徴とする請求項１又は２に記載の遊技機。
【発明の詳細な説明】
【技術分野】
【０００１】
本発明は、パチンコ機等の遊技機に関する。
【背景技術】
【０００２】
従来より、遊技球を媒体として遊技が実行されるパチンコやパロット等の遊技機には、遊技状態に応じて効果音等の音声（演出音）を出力するスピーカが設けられている。例えば、遊技機本体の上部両隅や本体下部に設けられて遊技球を貯留する上皿と下皿との間にスピーカが配設された遊技機が多く存在する。
【０００３】
特許文献１に示すような従来のパチンコ遊技機では、遊技機内部に配置される遊技盤に遊技球が転動する遊技領域面を形成し、遊技領域面に対応した視認窓であるガラス扉を備えた前面枠によってその前面を所定の空間が形成されるように覆うことによって、発射された遊技球が転動するための遊技領域を形成している。この遊技領域には多数の釘が植設されている他、風車やチューリップなどの役物（遊技球の動きを左右するための仕掛けや遊技機の演出のために動いたり発光したり表示したりする仕掛け全般を含む。）、入賞口等の各種部材や大当たり抽選のための多彩な演出を行う図柄表示を行う液晶表示装置が配設されている。
【先行技術文献】
【特許文献】
【０００４】
【特許文献１】特開２００５−２７９０２７号公報
【発明の開示】
【発明が解決しようとする課題】
【０００５】
これらの遊技機では遊技がより一層楽しくなるように、液晶表示装置を大型化したり、派手な動きを伴う大型の役物が採用されることが多くなってきている。またその他にも、高性能・高音質なスピーカを用い、多種多様で華やかな音楽や効果音などの演出音を出力することなどによっても演出効果が高められている。
【０００６】
ここで大型の役物が激しく動く派手な演出を行う場合には、役物を動かすための駆動音や役物の駆動に伴って発生する動作音などの騒音がかなり大きくなっているといった問題があった。また従来から植設された釘に遊技球がはじかれる音や遊技球が役物などと衝突する音などの騒音も遊技者にとって耳障りなものであった。そして演出音がこのような騒音に阻害される結果として、折角、高性能・高音質なスピーカを用いて華やかな演出音を出力したとしても遊技者の興趣を効果的に高めることできていないのが実情であった。
【０００７】
本発明は上記課題を解決するために発案されたもので、アクティブ消音の原理により耳障りな騒音を消音することで、遊技者に演出音を明瞭に聴き取らせるることが可能な遊技機を提供することを目的とするものである。
【課題を解決するための手段】
【０００８】
上記課題を解決するため本発明は、遊技状態に応じた演出音を遊技者に向けて出力する演出音出力手段と、所定箇所の騒音を集音する集音手段と、該集音手段によって集音した騒音と逆位相の抑圧音を生成するための抑圧音生成手段と、抑圧音を指向性を高めて出力する抑圧音出力手段と、を備え、
前記集音手段は遊技領域を覆うガラス面の振動を検出することにより遊技者の前方で発生する騒音を集音し、
前記抑圧音出力手段は発射装置に供給する遊技球を貯留するための貯留皿が形成された貯留皿形成台の上部に設置されて遊技者の頭部に向けて抑圧音を出力する、ことを特徴とする遊技機を提供する。
【０００９】
また本発明は、遊技状態に応じた演出音を遊技者に向けて出力する演出音出力手段と、所定箇所の騒音を集音する集音手段と、該集音手段によって集音した騒音と逆位相の抑圧音を生成するための抑圧音生成手段と、抑圧音を指向性を高めて出力する抑圧音出力手段と、を備え、
前記集音手段は発射装置に供給する遊技球を貯留するための貯留皿が形成された貯留皿形成台の上部に設置されて遊技者の前方で発生する騒音を集音し、
前記抑圧音出力手段は遊技機の上端部近傍に設置されて遊技者の頭部に向けて抑圧音を出力する、ことを特徴とする遊技機を提供する。
【００１０】
ここで、騒音源から前記集音手段までの距離と前記抑圧音出力手段から遊技者の耳までの距離との和は、該騒音源から遊技者の耳までの距離とほぼ同じである、ものとする。
【００１１】
また、前記抑圧音出力手段は、貯留皿形成台上から遊技者の頭部方向に倒立して伸長する傾斜壁の上端部に設けられている、ことが好ましい。
【００１２】
また、前記集音手段は、貯留皿形成台上から遊技者の頭部方向に倒立して伸長する傾斜壁の上端部近傍に設けられている、ことも好ましい。
【００１３】
また、前記傾斜壁には遊技者が椅子から立ち上がる際の持ち手となる掴み部が形成されている、ことも好ましい。
【００１４】
また、前記抑圧音出力手段から出力する抑圧音の位相の調整を行う位相調整機構を備える、ことも好ましい。
【００１５】
また、前記抑圧音出力手段から出力する抑圧音の音量の調整を行う音量調整機構を備える、ことも好ましい。
【発明の効果】
【００１６】
本発明の遊技機によれば、アクティブ消音の効果により遊技者が聴取する耳障りな騒音の低減を図り、遊技者に演出音を明瞭に聴取させることができる。
【図面の簡単な説明】
【００１７】
【図１】基本発明の第一の実施形態としてのパチンコ機の正面側における斜視図である。
【図２】（ａ）は上皿の平面図、（ｂ）はスピーカ付近の斜視図、（ｃ）は（ａ）の上皿付近のＡ−Ａ線断面図である。
【図３】パチンコ機の背面側における斜視図である。
【図４】ガラス扉枠を開放した状態における前面枠、遊技盤等を示す正面図である。
【図５】ガラス扉枠を示す背面図である。
【図６】上皿における遊技球の流れを示す説明図である。
【図７】空間部内のスピーカから出力された音声が遊技者に伝わる様子を示した説明図である。
【図８】基本発明の第二の実施形態としてのパロット機の正面側における斜視図である。
【図９】（ａ）は基本発明の第一の実施形態の第１の変形例における上皿の平面図、（ｂ）は（ａ）の上皿における遊技球の流れを示す説明図である。
【図１０】（ａ）は基本発明の第一の実施形態の第２の変形例における上皿の平面図、（ｂ）は（ａ）の上皿における遊技球の流れを示す説明図である。
【図１１】（ａ）は基本発明の第一の実施形態の第３の変形例における上皿の平面図、（ｂ）は（ａ）の上皿における遊技球の流れを示す説明図である。
【図１２】基本発明の第一の実施形態の第４の変形例における上皿付近の断面図である。
【図１３】基本発明の第一の実施形態の第５の変形例における上皿付近の断面図である。
【図１４】基本発明の第一の実施形態の第６の変形例における上皿の平面図である。
【図１５】基本発明の第一の実施形態の第７の変形例におけるスピーカ付近の斜視図である。
【図１６】基本発明の第一の実施形態の第８の変形例におけるスピーカ付近の斜視図である。
【図１７】基本発明の第一の実施形態の第９の変形例におけるスピーカ付近の斜視図である。
【図１８】基本発明の第二の実施形態の変形例における上皿及びスピーカ付近の断面図であり、（ａ）はフロントパネルを本体枠側から開いた状態を、（ｂ）はフロントパネルを本体枠側へ閉じた状態をそれぞれ示している。
【図１９】実施例１の遊技機の外観斜視図である。
【図２０】実施例１の遊技機のＡＮＣに関する基本構成を示したブロック図である。
【図２１】スピーカ（演出音出力手段）の水平方向断面図である。
【図２２】遊技者と遊技機との位置および距離との関係を示した側面図である。
【図２３】実施例２の遊技機の概観斜視図である。
【図２４】遊技者と遊技機との位置および距離との関係を示した側面図である。
【図２５】実施例３の遊技機の概観斜視図である。
【図２６】遊技者と遊技機との位置および距離との関係を示した側面図である。
【図２７】アクティブ消音装置による消音技術の原理を説明した図である。
【発明を実施するための形態】
【００１８】
まずアクティブ消音装置による消音技術の原理を図２７を用いて説明する。アクティブ消音技術（ＡＮＣ（Actine Noise Control）技術）は騒音に対してこれと逆位相の音と干渉させることにより消音を行う技術である。
【００１９】
図２７に示したように、アクティブ消音装置は、騒音源５１０からの騒音を人５５０がいる地点で打ち消すように、騒音源からの音をマイクロホン５２０で拾い、その騒音信号をリアルタイムでアンプ５３０により逆位相で増幅し、スピーカ５４０により逆位相の抑圧音を出力してその騒音と干渉させることで消音を行うものである。ここで消音を効果的に行うためには、騒音源、マイクロホン、スピーカ、人がこの順番で同一軸線上に並ぶことが理想的である。
【００２０】
このようなＡＮＣ技術は管路や狭い閉空間では有利な消音効果を示すものの、比較的広い開空間であるパチンコホールなどではその効果はあまり期待できないといった問題があった。すなわち遊技者の頭部付近で騒音と抑圧音がちょうど逆位相となって干渉すれば相互に打ち消しあって消音効果が発揮されるのであるが、管路や狭い閉空間でない場合にはリアルタイムな処理によってはその干渉をちょうど逆位相となるように行うことが困難であることが多く、消音効果が十分に発揮されないばかりか、逆に騒音を増幅してしまう虞もあるためである。
【００２１】
本発明はかかる問題を解決すべく、演出音を出力するスピーカ、騒音を集音するためのマイクロホン、抑圧音を出力するスピーカの配置などを工夫することにより、管路や狭い閉空間ではないパチンコホールにおいてもアクティブ消音を効果的に行うことを可能としたものである。
【００２２】
以下にまず本発明を創出するきっかけとなった基本発明を具体化した各実施形態についてまず説明し、その後、本発明の遊技機の特徴的部分であるＡＮＣ技術を用いた実施形態について説明する。なお以下の実施形態ではパチンコ遊技機（以下、単に「パチンコ機」という。）を具体例に説明するが、本発明はパチンコ機に限られず、パロットなど、耳障りな騒音が発生することがあるすべての遊技機に応用して適用することができる。
【００２３】
この基本発明のパチンコ機は、スピーカの配置を工夫することで、当該遊技機の遊技者には音声が明瞭に聴取され且つ周囲からは聴取され難くしたものである。すなわち従来のパチンコ機においては、スピーカが遊技機本体の上部両隅に配設されている場合にはそこから出力される演出音は周囲に拡散しやすいために他の遊技者にとってはその演出音が騒音となっており、また、スピーカが遊技者の耳から離隔した本体下部であり且つ遊技者から見て上皿の陰になる下皿の奥部に配設されている場合には、その遊技者が明瞭に音声を聴取できるようにするためには、スピーカの音量を比較的大きめに設定しておく必要があるため、周囲の遊技者にとってはやはりその演出音が煩わしい騒音となっていたところ、この基本発明はこれを改善したものである。
【００２４】
まず最初に、基本発明であるパチンコ機の第一の実施形態について説明する。
本基本発明のパチンコ機は、内部の遊技球払い出し機構を利用して遊技球の貸し出しを行うＣＲ機と称されるタイプのパチンコ機であり、図１に示すように、カードユニット２０が隣接配置され且つ電気的に接続されている。カードユニット２０は、予め金額情報が記録された価値媒体としてのプリペイドカード２２を投入可能なカード投入口２１を有し、プリペイドカード２２から金額情報の読み出し及び書き込みが可能となっている。
【００２５】
パチンコ機１は、図１乃至図５に示すように、外枠２と、その外枠２の前部に設けられ外枠２の一側部にて開閉可能に支持された前面枠３とを備えている。外枠２は、パチンコ機１のベースとなる枠であり、板材により全体として矩形状に構成されている。尚、本実施の形態では、外枠２は木製であって、上下方向の長さは８０８ｍｍ、左右方向の長さは５２０ｍｍとなっている。また、前面枠３は合成樹脂、具体的にはＡＢＳ（アクリロニトリル−ブタジエン−スチレン）樹脂により構成されている。前面枠３の開閉軸線はパチンコ機１の正面から見て左側に上下に延びるように設定されている。尚、外枠２は樹脂により構成されていてもよく、あたかも外枠２及び前面枠３が一体物に見えるように構成されていてもよい。
【００２６】
前面枠３には、後述する下皿ユニット５１を除く前面枠３の前面側を覆うように、ガラス扉枠４が開閉自在に設けられている。尚、ガラス扉枠４が基本発明の開閉枠を、前面枠３が基本発明の本体枠をそれぞれ構成するものである。また、後述する上皿５４を除いて外枠２，前面枠３及びガラス扉枠４を含むパチンコ機１のすべての構成部材が基本発明の本体を構成するものである。また、ガラス扉枠４の開閉軸線（軸支部）もパチンコ機１の正面から見て左側に上下に延びるように設定されている。
【００２７】
詳しくは、ガラス扉枠４の背面図である図５に示すように、ガラス扉枠４の裏側から見て右側の上端部付近に回動軸９１が設けられ、図５に示すように前面枠３の正面から見て左側の上端部付近には回動軸９１が嵌め込まれる軸受部９２が設けられている。また、軸受部９２の下方には、上方に突出する突回動軸９３が設けられ、ガラス扉枠４の下側面には、前記回動軸９１の下方位置において、前記突回動軸９３を嵌め込むための図示しない軸受凹部が設けられている。そして、突回動軸９３を前記軸受凹部に嵌め込み、回動軸９１を軸受部９２に嵌め込むことによって、ガラス扉枠４が軸支され開閉可能となる。このように本実施の形態では、回動軸９１と突回動軸９３を結ぶ線がガラス扉枠４の開閉軸線として設定されている。
【００２８】
また、ガラス扉枠４には、裏側から一対のガラス４２が並行して取り付けられている。ガラス扉枠４の左右方向の長さは、前面枠３とほぼ同等であり、そのガラス扉枠４によって前面枠３下部に設けられた下皿ユニット５１を除く殆どの部分が覆われるようになっている。
【００２９】
前記前面枠３の後側（ガラス扉枠４の奥、外枠２の内側）には、遊技盤５が着脱可能に装着されている。なお、遊技盤５は、その周縁部が前面枠３の裏側に当接した状態で取り付けられており、図４では、遊技盤５の前面部の略中央部分だけが前面枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、図柄変動表示装置５７、スルーチャッカー１０等が配設されている。図柄変動表示装置５７は、液晶表示部と、当該液晶表示部の周囲に配設されたセンターフレームとを備えている。
【００３０】
尚、図柄変動表示装置５７の制御を行う表示制御基板や、スピーカ５９における音声出力の制御を行う音声制御基板を含む各種の制御基板は、図３に示すように、遊技盤５の背面側に設けた透明樹脂製の裏パック５ａによって覆われている。また、パチンコ機１の主制御を行うメイン基板はメイン基板ボックス５ｂに、入賞による遊技球の払い出しやカードユニット２０からの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００３１】
図柄変動表示装置５７の液晶表示部には、例えば左図柄列、中図柄列及び右図柄列の３つの表示列が表示される。各図柄列は複数の図柄によって構成されており、これら図柄が各図柄列毎にスクロールされるように表示画面に可変表示されるようになっている。尚、図柄変動表示装置５７の配設構造については後述する。
【００３２】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生が後述するスピーカ５９から出力される効果音によって報知される。
【００３３】
また、周知のとおり、前記一般入賞口６、可変入賞装置７、作動チャッカー８に遊技球Ｂが入賞することに基づいて、後述する上皿５４（場合によっては下皿５３）に対し所定数の景品球が払い出されるようになっている。また、遊技盤５には、遊技球Ｂの落下方向を適宜分散、調整等するために多数の釘が植設されているとともに、風車９等の各種部材（役物）が配設されている。
【００３４】
さて、前記前面枠３は、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００３５】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、前面枠３の内周側の窓孔によって主として遊技領域の外延が確定されており、前面枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている（図４及び図５参照）。
【００３６】
次に、遊技領域について説明する。本実施の形態では、遊技領域を、パチンコ機１の正面から見て、内レール１２及び外レール１３によって囲まれる領域のうち、内外レール１２，１３の並行部分である誘導レールの領域を除いた領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。
【００３７】
ここで、ガラス扉枠４について説明する。ガラス扉枠４には、前記遊技領域の殆どを外部から視認することができるように略楕円形状の窓部４１が形成されている。具体的には、前記窓部４１は、その左右側の略中央部が、上下側に比べて比較的緩やかに湾曲した形状となっている。なお、前記略中央部が直線状になるようにしてもよい。本実施の形態において、前記窓部４１の上端（外レール１３の最上部、遊技領域の上端）と、ガラス扉枠４の上端との間の距離（いわゆる上部フレーム部分の上下幅）は５０ｍｍとなっており、８５ｍｍ〜９５ｍｍ程度上部フレーム幅がある従来技術に比べ、著しく短くなっている。なお、上記距離は、８０ｍｍ以下であることが望ましく、より望ましくは７０ｍｍ以下であり、さらに望ましくは６０ｍｍ以下である。勿論、所定の強度が確保できるのであれば、５０ｍｍ以下であっても差し支えない。
【００３８】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、図１及び図４を相互に比較すると明らかなように、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域に案内される通過点に過ぎず、遊技者が主として遊技を楽しむ遊技領域において遊技球Ｂが視認困難となるわけではない。そのため、実際の遊技に際しては何ら支障が生じない。また、このような支障が生じない一方で、ガラス扉枠４の十分な強度及び支持強度が確保可能となっている。ちなみに、外レール１３の左端位置と外枠２の左端位置との左右方向の距離は２１ｍｍ、遊技領域の右端位置（内レール１２の右端位置）と外枠２右端位置との左右方向の距離は４４ｍｍとなっている。また、ガラス扉枠４には、図５に示すように、その左右フレーム部分の裏側において、そのガラス扉枠４を補強するための例えば金属製の補強部材４３，４４が取り付けられている。
【００３９】
併せて、図１及び図４に示すように、ガラス扉枠４の存在していない前面枠３下部は、例えばＡＢＳ（アクリロニトリル−ブタジエン−スチレン）樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。さらに、下皿ユニット５１には下皿５３の左側に隣接して灰皿５６が設けられている。
【００４０】
これに対し、ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００４１】
上皿５４の貯留部５４ａは、流入口５４ｌ及び供給口５４ｒに連続する底面部５４ｂと、底面部５４ｂの周囲を取り囲むように立設された前壁部５４ｃと、底面部５４ｂを挟んで前壁部５４ｃと対向するように流入口５４ｌと供給口５４ｒとの間に立設され且つ前壁部５４ｃ側へ凸状となるように湾曲形成された後壁部５４ｄとを有している。底面部５４ｂは、左右方向に細長く且つガラス扉枠４から前方へ張り出すように形成されている。また、底面部５４ｂ後部の流入口５４ｌと供給口５４ｒとの間には前方側へ凹状をなす凹状輪郭部５４ｕが形成され、上述した後壁部５４ｄは凹状輪郭部５４ｕに沿って立設されている。後壁部５４ｄは、左右方向中央部でガラス扉枠４より数十ｍｍ程度（例えば、３０〜５０ｍｍ）前方側へ離間しており、後壁部５４ｄ背面とガラス扉枠４前面との間に空間部５４ｈが形成される構造となっている。
【００４２】
図２（ａ）は上皿５４の平面図、（ｂ）はスピーカ５９付近の斜視図、（ｃ）は（ａ）の上皿のＡ−Ａ線断面図であり、図２（ａ）では、上皿５４が取り付けられるガラス扉枠４を点線で示している。また、図２（ｃ）に示すように、後壁部５４ｄの上縁が丸みを帯びた断面形状に形成されているので、極めて安全性が高い。例えば、遊技者が指を移動させる際に後壁部５４ｄに触れた場合にも、遊技者の指を傷つけることが防止される。
【００４３】
貯留部５４ａの底面部５４ｂ上には、後壁部５４ｄの右側に、遊技球を一列に整列させて供給口５４ｒより供給穴４９を通して発射装置３１側へ流下させる整流部５４ｅが設けられている。整流部５４ｅには、遊技球を後述する直線部５４ｆへ誘導するための傾斜壁５４ｋが、直線部５４ｆを挟んで前壁部５４ｃ側及び後壁部５４ｄ側に形成されており、遊技球の流路が徐々に狭まる構造となっている。また、整流部５４ｅには、底面部５４ｂ上で前後方向に延設され且つ前方側から供給穴４９の位置する後方側に向かって下り傾斜する直線部５４ｆが設けられ、この直線部５４ｆの底面に細長い長方形状の金属板５４ｍが装着されている。金属板５４ｍは、遊技球の流れをスムーズにする機能、底面を補強して摩擦による削れを防止する機能、ノイズを防止する機能等を有している。また、金属板５４ｍの下流端側には球抜き穴５４ｊが形成されている。この球抜き穴５４ｊは、通常の状態において直線部５４ｆの底面裏側をスライド自在に設けられる開閉弁５４ｉによって閉塞されており、開閉弁５４ｉが前壁部５４ｃに設けられる球抜きレバー５４ｇの操作により移動されたときに、球抜き穴５４ｊが開放されて貯留部５４ａ内に貯留されていた遊技球を図示しない球抜き通路を介して下皿５３に移動せしめるものである。
【００４４】
ここで、上皿５４の貯留部５４ａにおける遊技球Ｂの流れについて、図６を参照しつつ説明する。遊技球Ｂは、払出口４５より払い出されると流入口５４ｌより貯留部５４ａ内に流入し、緩やかに右下がりに傾斜する底面部５４ｂと、前壁部５４ｃ及び後壁部５４ｄとに案内されて貯留部５４ａ右側の供給口５４ｒへ向かって転動して整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは整流部５４ｅの直線部５４ｆを挟んで両側に設けられた傾斜壁５４ｋによって誘導されて一列に整列されると共に、直線部５４ｆ上を下り傾斜する後方側（ガラス扉枠４側）へ転動して金属板５４ｍの下流端より供給穴４９へ流下する。供給穴４９から球送り装置４８へ供給された遊技球は、１個ずつ発射レール３３に導かれ、発射装置３１によって発射される。
【００４５】
ガラス扉枠４の窓部４１下方には、遊技球の貸し出しに関する操作を行うための貸球操作部４６が設けられ、さらに下方には、基本発明の音声出力部を構成するスピーカ５９が配設されている。貸球操作部４６は、図１に示すように、遊技球の貸し出し可能状態をランプによって示す貸出ボタンランプ４６ａ、遊技球の貸し出しを行うための貸出ボタン４６ｂ、プリペイドカード２２の返却を行うための返却ボタン４６ｃ、プリペイドカード２２の残り度数を表示する度数表示ＬＥＤ４６ｄとを備えている。
【００４６】
スピーカ５９は、図示しない接続コードを介して音声制御基板と電気的に接続されたスピーカ本体５９ａと、スピーカ本体５９ａを収納するケース５９ｂとから構成される。ケース５９ｂ前面部には、多数の小孔が形成されており、スピーカ本体５９ａから出力される音声が外部から聴こえやすくなっている。そして、スピーカ５９は、上皿５４の後壁部５４ｄとガラス扉枠４との間に形成された空間部５４ｈ内に配設されている。すなわち、スピーカ５９は、ガラス扉枠４において空間部５４ｈを挟んで上皿５４の後壁部５４ｄに対向する領域に固着されている。また、スピーカ５９は、スピーカ本体５９ａ前面部が当該遊技者方向を向くように傾斜配置されている。
【００４７】
ガラス扉枠４の周囲（例えばコーナー部分や窓部４１の周縁）には、各種ランプ、ＬＥＤ等の発光手段を備えた電飾部材６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。勿論、これら電飾部材６２を、遊技盤５に設ける構成（コーナー飾りと称される電飾部材６２を遊技盤５のコーナー部等に配設する）としてもよいし、場合によっては前面枠３に設ける構成としてもよい。更には、前後一対のガラス４２間に配設する構成としてもよい。
【００４８】
また、周知のとおり、前面枠３が外枠２に対し閉じられると自動的にロックがかかるようになっており、所定のキー操作が行われることによりロックが解除されるようになっている。同様に、ガラス扉枠４が前面枠３に対し閉じられると自動的にロックがかかり、別途のキー操作が行われることによりロックが解除されるようになっている。このようにロック及びロック解除を行うためのロック機構が前面枠３の右下部、つまり下皿ユニット５１の右端部に設けられている。ロック機構には、鍵穴を有するキーシリンダ（解除キー）５５、前面枠３及び外枠２間でのロック及び解除を行うための第２ロック機構が含まれる。本実施の形態では、最も幅狭で、遊技領域の拡張を阻害する前面枠の右中央部ではなく、比較的にスペースにゆとりのある前面枠３の右下部に、キーシリンダ５５をはじめとする上記ロック機構（特にキーシリンダ５５）が配設されている。換言すれば、キーシリンダ５５は、遊技領域の最大幅となる位置を避けて配置されている。このような構成により、遊技領域の拡張をより容易且つ確実に図ることができる。
【００４９】
勿論、最も幅狭な部分以外であれば、上記以外の部位に設けてもよく、例えば、前面枠３の右上部に設けるような構成としてもよい。また、上記例では、第１ロック機構及び第２ロック機構をキーシリンダ５５でともにロック状態を解除可能としたが、それぞれの解除のためのキーシリンダを別体で設けることとしてもよい。
【００５０】
以上詳述したことから明らかなように、本実施形態によれば、上皿５４の貯留部５４ａの一部を本体（ガラス扉枠４）より離間して形成することによって貯留部５４ａと本体（ガラス扉枠４）との間に空間部５４ｈを形成すると共に、空間部５４ｈ内に音声出力部としてのスピーカ５９を配設したので、当該遊技者に音声を明瞭に聴取させることができると共に、周囲の遊技者からは聴取され難くすることができる。すなわち、図７に示すように、当該パチンコ機１で遊技を行う遊技者の頭部は空間部５４ｈの上方に位置しており、パチンコ機１本体の上下方向略中央に位置し且つ遊技者頭部から近い上皿貯留部５４ａとガラス扉枠４との間の空間部５４ｈ内でスピーカ５９によって出力された音声が当該遊技者の耳に直接到達するので、音量が比較的小さく設定された場合でも、当該遊技者は音声を明瞭に聴取することができる。特に、本実施形態では、スピーカ５９が遊技者方向に向けて傾斜配置されているので、より直接的に音声が遊技者の耳に到達し、遊技者は音声を一層明瞭に聴取することができる。
【００５１】
一方、上皿貯留部５４ａとガラス扉枠４とによって上下方向以外が囲まれた空間部５４ｈ内で音声が出力された音声は周囲に大きく広がらないので、周囲の遊技者からは当該パチンコ機１の音声が聴取され難い。よって、周囲の遊技者が当該パチンコ機１から出力される音声によって煩わされることが防止される。さらに、例えば、大当り発生の期待感が高まるリーチ遊技状態に当該パチンコ機１から発せられる効果音（「リーチ」等の音声や音楽）に周囲の遊技者が殆ど気づかないため、当該パチンコ機１の図柄変動表示装置５７等を他の遊技者から覗き込まれて当該遊技者が不快な気分にさせられることを防止することができる。加えて、スピーカ５９が空間部５４ｈ内に配設されることにより、他の部材の配置の邪魔にならないという利点がある。
【００５２】
また、スピーカ５９をガラス扉枠４に固着した状態で上皿５４を取り付けることにより、音声出力部としてのスピーカ５９が空間部５４ｈ内に配設される構造を容易且つ確実に形成することができる。また、底面部５４ｂ上には整流部５４ｅが設けられ、整流部５４ｅには遊技球誘導用の傾斜壁５４ｋが形成されて遊技球の流路が徐々に狭まっているので、貯留された遊技球を一列に整列させて供給口５４ｒより発射装置３１側へ確実に流下させることができる。特に、遊技球誘導用の傾斜壁５４ｋが前壁部５４ｃ側だけでなく、後壁部５４ｄ側にも形成されているので、遊技球が後壁部５４ｄ側で滞ることなく供給口５４ｒに向かって誘導される。
【００５３】
また、整流部５４ｅは、底面部５４ｂ上で前後方向に延設され且つ前方側から供給口５４ｒが設けられる後方側に向かって下り傾斜する直線部５４ｆを備えている。よって、流入口５４ｌから底面部５４ｂ上に流入した遊技球は、前壁部５４ｃ側へ凸状に形成された後壁部５４ｄを迂回して供給口５４ｒへ向かう経路に沿って転動し、整流部５４ｅの直線部５４ｆにおいて一列に円滑に整列されて供給口５４ｒより発射装置３１側へ確実に流下する。
【００５４】
次に、基本発明の第二の実施形態について、図８を参照しつつ説明する。第二の実施形態は、複数種類の図柄が表示された複数の回転リールを有し、各回転リールの回転停止時の図柄の組合わせに基づく入賞態様に応じて遊技球が払い出されるパロット遊技機（以下、単に「パロット機」と称する）である。本実施形態のパロット機１０１は、図８に示すように、正面側に開口すると共に、複数種類の図柄が表示された図示しない複数（３個）の回転リールが収容される本体枠１２０と、本体枠１２０の前面を覆うように開閉可能に取り付けられ、各回転リールの図柄を視認可能な表示窓１６３を設けた合成樹脂製のフロントパネル１６０とを備えている。
【００５５】
また、フロントパネル１６０には、装飾ランプ１６２、前方へ突出する台状に形成された上皿１５４、払い出された遊技球又は上皿１５４より誘導された遊技球を受けて貯留する下皿１７０等が設けられている。上皿１５４の上面には、各回転リールの回転停止時の図柄の組合わせに基づく入賞態様に応じてフロントパネル１６０の払出し口１４５より払い出された遊技球及び遊技者により投入された遊技球を貯留する貯留部１５４ａ、払出し口１４５より払い出された遊技球を貯留部１５４ａへ流入させる流入口１５４ｌ、及び貯留部１５４ａに貯留された遊技球をフロントパネル１６０の供給穴１４９を通して本体側へ供給する供給口１５４ｒが設けられている。
【００５６】
上皿１５４の貯留部１５４ａは、流入口１５４ｌ及び供給口１５４ｒに連続する底面部１５４ｂと、底面部１５４ｂの周囲を取り囲むように立設された前壁部１５４ｃと、底面部１５４ｂを挟んで前壁部１５４ｃと対向するように流入口１５４ｌと供給口１５４ｒとの間に立設され且つ前壁部１５４ｃ側へ凸状となるように湾曲形成された後壁部１５４ｄとを有している。底面部１５４ｂは、左右方向に細長く且つ本体側から前方へ張り出すように形成されている。また、底面部１５４ｂ後部の流入口１５４ｌと供給口１５４ｒとの間には前方側へ凹状をなす凹状輪郭部が形成され、上述した後壁部１５４ｄは凹状輪郭部に沿って立設されている。後壁部１５４ｄは、左右方向中央部でフロントパネル１６０より数十ｍｍ程度（例えば、３０〜５０ｍｍ）前方側へ離間しており、後壁部１５４ｄとフロントパネル１６０との間に空間部１５４ｈが形成される構造となっている。
【００５７】
フロントパネル１６０の回転リールを臨む窓部１４１下方には、基本発明の音声出力部を構成するスピーカ１５９が設けられている。スピーカ１５９は、第一の実施形態のスピーカ５９と同様の構成を有する装置であり、上皿１５４の後壁部１５４ｄとフロントパネル１６０との間に形成された空間部１５４ｈ内に配設されている。すなわち、スピーカ１５９は、フロントパネル１６０において空間部１５４ｈを挟んで上皿１５４の後壁部１５４ｄに対向する領域に固着されている。また、スピーカ１５９は、前面部が当該遊技者方向を向くように傾斜配置されている。
【００５８】
また、前壁部１５４ｃの上面には、クレジットされている遊技球を投入するためのベットスイッチ１６５や、クレジットされている遊技球を払い出すためのキャンセルスイッチ１６６が設けられている。また、前壁部１５４ｃの前面は操作部１６４となっており、回転リールの回転起動操作を行うスタートレバー１６７、及び左・中・右の回転リールにそれぞれ対応して設けられたストップスイッチ１６８が設けられている。
【００５９】
以上詳述したことから明らかなように、本実施形態によれば、パロット遊技機１０１において、上皿１５４の貯留部１５４ａの一部を本体側のフロントパネル１６０より離間して形成することによって貯留部１５４ａとフロントパネル１６０との間に空間部１５４ｈを形成すると共に、空間部１５４ｈ内に音声出力部としてのスピーカ１５９を配設したので、当該遊技者に音声を明瞭に聴取させることができると共に、周囲の遊技者からは聴取され難くすることができること、スピーカ１５９が他の部材の配置の邪魔にならないこと等、第一の実施形態と同様の種々の作用効果を奏する。
【００６０】
また、貯留部１５４ａの後端で左右に離間して設けられた流入口１５４ｌと供給口１５４ｒとの間に空間部１５４ｈを形成したので、空間部１５４ｈのサイズを大きくして情報表示部１５７の設置領域等を充分に確保することができる。また、空間部１５４ｈが貯留部１５４ａの左右方向中央に形成されているので、貯留部１５４ａを構成する樹脂部材において左右均等な強度を確保することができる。また、貯留部１５４ａの全体形状が流入口１５４ｌ側と供給口１５４ｒ側とを両端とし且つ前方側へ湾曲するアーチ状に形成されているので、アーチ形状の内周側部分となる貯留部１５４ａとフロントパネル１６０との間に確実に空間部１５４ｈを形成することができる。
【００６１】
尚、基本発明は上述した各実施の形態に限定されるものではなく、基本発明の主旨を逸脱しない範囲で種々の変更を施すことが可能である。例えば、前記第一の実施形態では、ガラス扉枠４に上皿５４が設けられる例を示したが、ガラス扉枠の下方に別体で前面枠３に対して開閉可能な上皿板を設け、その上皿板に上皿５４を設ける構成のパチンコ機に対して基本発明を適用してもよい。尚、本変形例において、上皿板が基本発明の開閉枠を構成するものである。或いは、第一の実施形態において、上皿５４を開閉枠としてのガラス扉枠４や上皿板に設けることなく、前面枠３に設ける構成としてもよい。同様に、第二の実施形態では、上皿１５４を開閉枠としてのフロントパネル１６０に設けることなく、本体枠１２０に設ける構成としてもよい。
【００６２】
また、前記第一の実施形態では、貯留部５４ａの整流部５４ｅに直線部５４ｆを前後方向に設ける構成としたが、図９（ａ）に示す第１の変形例のように、ガラス扉枠４に対して斜め方向に延設され且つ前方側から後方側に向かって下り傾斜する直線部５４ｎを設け、この直線部５４ｎを挟んで前壁部５４ｃ側及び後壁部５４ｄ側に傾斜壁５４ｋを設ける構成としてもよい。本変形例によれば、図９（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは直線部５４ｎの両側に設けられた傾斜壁５４ｋによって誘導されて一列に整列されると共に、直線部５４ｎ上を下り傾斜する後方側（ガラス扉枠４側）へ転動して金属板５４ｍの下流端より供給穴４９へ流下する。
【００６３】
また、図１０（ａ）に示す第２の変形例のように、底面部５４ｂ上で流入口５４ｌから供給口５４ｒに至る曲線状の経路に沿って延設され且つ前方側から供給口５４ｒが設けられる後方側に向かって下り傾斜する曲線部５４ｏを設け、この曲線部５４ｏを挟んで前壁部５４ｃ側及び後壁部５４ｄ側に傾斜壁５４ｋを設ける構成としてもよい。本変形例によれば、図１０（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは曲線部５４ｏの両側に設けられた傾斜壁５４ｋによって誘導されて一列に整列されると共に、曲線部５４ｏ上を下り傾斜する後方側（ガラス扉枠４側）へ転動して金属板５４ｍの下流端より供給穴４９へ流下する。
【００６４】
また、図１１（ａ）に示す第３の変形例のように、底面部５４ｂ上で供給口５４ｒに対して流入口５４ｌとは反対側（右側）にて左右方向に延設され且つ供給口５４ｒが設けられる左方向に向かって下り傾斜する直線部５４ｐを設け、この直線部５４ｐを挟んで前壁部５４ｃ側及び後壁部５４ｄ側に傾斜壁５４ｋを設ける構成としてもよい。本変形例によれば、図１１（ｂ）に示すように、遊技球Ｂは、払出口４５より払い出されると流入口５４ｌより貯留部５４ａ内に流入し、緩やかに右下がりに傾斜する底面部５４ｂ，前壁部５４ｃ及び後壁部５４ｄに案内され、前壁部５４ｃ側へ凸状に形成された後壁部５４ｄを迂回して供給口５４ｒへ向かう経路に沿って転動して貯留部５４ａ右側の整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは直線部５４ｐの両側に設けられた傾斜壁５４ｋによって誘導されて一列に整列されると共に、直線部５４ｐ上を下り傾斜する左側へ転動して金属板５４ｍの下流端より供給穴４９へ流下する。
【００６５】
また、前記第一の実施形態では、スピーカ５９をガラス扉枠４側に固着する構成としたが、上皿５４の後壁部５４ｄに固着する構成としてもよい。或いは、図１２に示す第４の変形例のように、ガラス扉枠４と上皿後壁部５４ｄとに固着する構成としてもよい。本変形例では、スピーカ５９が前後両側で固着されているので、取り付け強度が確保され、取り付け状態の安定化を図ることができる。例えば、スピーカ５９を上皿後壁部５４ｄに固着した状態で上皿５４をガラス扉枠４に取り付け、さらにスピーカ５９をガラス扉枠４に固着することにより、スピーカ５９が空間部５４ｈ内に配設される構造を容易且つ確実に形成することができる。また、本変形例では、スピーカ５９が上向きに配置されるとともに、空間部５４ｈを画成する内壁面が上方に拡大するテーパ状に形成されているので、遊技者はスピーカ５９から出力された音声を一層明瞭に聴取することができる。尚、本変形例において、空間部５４ｈ内に後壁部５４ｄとガラス扉枠４とを連結する連結部を架設し、その連結部上にスピーカ５９を配設する構成としてもよい。
【００６６】
また、図１３に示す第５の変形例のように、ガラス扉枠４の前面に凹部４ａを形成し、その凹部４ａ内にスピーカ５９の少なくとも一部が配設される構造としてもよい。本変形例によれば、サイズの大きなスピーカ５９でも空間部５４ｈ内に配設することができる。
【００６７】
また、前記第一の実施形態では、空間部５４ｈ内にスピーカ５９を１個配設した例を示したが、図１４に示す第６の変形例のように、スピーカ５９を空間部５４ｈ内に複数（図１４では２個）配設すると共に、空間部５４ｈ内に画面表示可能な表示部５７’を配設する構成としてもよい。本変形例によれば、複数のスピーカ５９からそれぞれ音声が出力されることによって、遊技者は立体的な音響を楽しむことができる。また、空間部５４ｈ内に表示部５７’がスピーカ５９と共に配設されているので、遊技者が表示部５７’に視線を向けることによって両耳が空間部５４ｈに向くため、音声を一層明瞭に聴取させることができる。
【００６８】
また、図１５に示す第７の変形例のように、スピーカ５９を挟んで左右に壁状部材５４ｑ，５４ｑを立設する構成としてもよい。本変形例によれば、スピーカ５９の左右に後壁部５４ｄに向かって延びる壁状部材５４ｑ，５４ｑが立設されているので、音声出力の指向性が向上して当該遊技機の遊技者にはより一層明瞭に音声を聴取させることができると共に、周囲の遊技者からはより一層聴取され難くすることができる。
【００６９】
また、第一の実施形態において、音声出力部としてのスピーカ５９又はその近傍に発光部を設ける構成としてもよい。例えば、図１６に示す第８の変形例のように、スピーカ５９前面の周囲に発光部としての多数個のＬＥＤ（発光ダイオード）５９ｃを配列してもよい。本変形例によれば、スピーカ５９に設けられたＬＥＤ５９ｃが発光してスピーカ５９自身を目立たせることによって効果的な演出を実現し、遊技の興趣を増大させることができる。
【００７０】
また、図１７に示す第９の変形例のように、後壁部５４ｄのスピーカ５９対向面にスピーカ５９を照明可能な電球５９ｄ，５９ｄを設ける構成としてもよい。本変形例によれば、スピーカ５９の近傍に設けられた電球５９ｄ，５９ｄがスピーカ５９を照明して目立たせることによって効果的な演出を実現し、遊技の興趣を増大させることができる。
【００７１】
また、前記第二の実施形態において、図１８に示す変形例のように、上皿後壁部１５４ｄと本体枠１２０との間に空間部１５４ｈを形成すると共に、スピーカ１５９が本体枠１２０に固着され且つスピーカ１５９を空間部１５４ｈ内に臨ませる開口部１６０ａがフロントパネル１６０に設けられる構成としてもよい。尚、図１８は、上皿１５４及びスピーカ１５９付近の断面図であり、（ａ）はフロントパネル１６０を本体枠１２０側から開いた状態を、（ｂ）はフロントパネル１６０を本体枠１２０側へ閉じた状態をそれぞれ示している。本変形例によれば、本体枠１２０に固着されたスピーカ１５９がフロントパネル１６０に設けられた開口部１６０ａを介して空間部１５４ｈを臨む位置関係となっている。また、スピーカ１５９をフロントパネル１６０と別体となるように本体枠１２０側へ配置したことにより、フロントパネル１６０の軽量化を図ることができ、フロントパネル１６０の開閉作業の負担を軽減することができる。尚、本変形例において、フロントパネル１６０に開口部１６０ａを覆うと共に、多数の小孔が形成された保護カバーを設け、遊技球の落下等からスピーカ１５９が確実に保護される構成としてもよい。また、本変形例において、本体枠１２０の前面に凹部を形成し、その凹部内にスピーカ１５９の少なくとも一部を配設する構造としてもよい。これにより、サイズの大きなスピーカ１５９でも空間部１５４ｈ内に配設することができる。
【００７２】
また、前記各実施形態において、音声の出力と共に振動を発生させるピエゾスピーカをスピーカ５９又は１５９として用いてもよい。ピエゾスピーカは、音声出力する際に大きな振動を生じさせるので、効果的に上皿貯留部内の遊技球の転動を促進して遊技球の滞留を防止することができる。但し、ピエゾスピーカにより音声出力部を構成するのは一例にすぎず、振動を発生しつつ音声を出力する他のスピーカ等を使用してもよい。
【００７３】
（付記）
上述した基本発明の実施形態からは、以下に示す基本発明の各手段を抽出することができる。以下、各手段につき、必要に応じて作用効果等を付記しつつ説明する。
１．遊技球を媒体として所定の遊技が実行されると共に遊技球を賞球として払出すように構成された本体と、その本体より払い出された遊技球及び遊技者により投入された遊技球を貯留する貯留部、前記本体より払い出された遊技球を前記貯留部へ流入させる流入口、及び前記貯留部に貯留された遊技球を前記本体側へ供給する供給口を有する上皿と、音声を出力可能な音声出力部と、を備えた遊技機において、
前記上皿の貯留部の一部を前記本体より離間して形成することによって前記貯留部と前記本体との間に空間部を形成すると共に、その空間部内に前記音声出力部を配設したことを特徴とする遊技機。
【００７４】
手段１によれば、上皿の貯留部の一部を本体より離間して形成することによって貯留部と本体との間に形成された空間部内に音声出力部を配設したので、当該遊技者に音声を明瞭に聴取させることができると共に、周囲の遊技者からは聴取され難くすることができる。すなわち、当該遊技機で遊技を行う遊技者の頭部は空間部の上方に位置しており、本体の上下方向及び左右方向略中央に位置し且つ遊技者頭部から近い上皿貯留部と本体との間の空間部内で音声出力部によって出力された音声が当該遊技者の耳に直接到達するので、音量が比較的小さく設定された場合でも、当該遊技者は音声を明瞭に聴取することができる。一方、貯留部と本体とによって上下方向以外が囲まれた空間部内で出力された音声は周囲に大きく広がらないので、周囲の遊技者からは当該遊技機の音声が聴取され難い。よって、周囲の遊技者が当該遊技機から出力される音声によって煩わされることが防止される。さらに、例えば、大当り発生の期待感が高まるリーチ遊技状態に当該遊技機から発せられる効果音に周囲の遊技者が殆ど気づかないため、当該遊技機の図柄変動表示装置等を他の遊技者から覗き込まれて当該遊技者が不快な気分にさせられることを防止することができる。加えて、音声出力部が空間部内に配設されることにより、他の部材の配置の邪魔にならないという利点がある。
【００７５】
２．前記空間部を画成する内壁面が上方に拡大するテーパ状に形成されたことを特徴とする手段１に記載の遊技機。
手段２によれば、空間部を画成する内壁面が上方に拡大するテーパ状に形成されているので、遊技者は音声出力部から出力された音声を一層明瞭に聴取することができる。
【００７６】
３．前記音声出力部は、遊技者方向に向けて傾斜配置されたことを特徴とする手段１又は２に記載の遊技機。
手段３によれば、音声出力部が遊技者方向に向けて傾斜配置されているので、より直接的に音声が遊技者の耳に到達し、遊技者は音声を一層明瞭に聴取することができる。
【００７７】
４．前記音声出力部は、前記空間部内に複数配設されたことを特徴とする手段１乃至３のいずれかに記載の遊技機。
手段４によれば、空間部内に複数の音声出力部が配設されているので、複数の音声出力部からそれぞれ音声が出力されることによって、遊技者は立体的な音響を楽しむことができる。
【００７８】
５．前記音声出力部は、音声の出力と共に振動を発生させるように構成されたことを特徴とする手段１乃至４のいずれかに記載の遊技機。
手段５によれば、音声出力部は音声の出力と共に振動を発生させるので、音声出力部より上皿に振動が与えられて貯留部内における遊技球の転動を促進して遊技球の滞留を防止することができる。
【００７９】
６．前記音声出力部は、ピエゾスピーカを備えたことを特徴とする手段５に記載の遊技機。
手段６によれば、音声出力部が、音声出力する際に大きな振動を生じさせるピエゾスピーカを備えているので、効果的に上皿貯留部内の遊技球の転動を促進して遊技球の滞留を防止することができる。但し、ピエゾスピーカにより音声出力部を構成するのは一例にすぎず、振動を発生しつつ音声を出力するものであれば音声出力部を構成することが可能であるため、他のスピーカ等を使用してもよい。
【００８０】
７．前記空間部内に、画面表示可能な表示部が配設されたことを特徴とする手段１乃至６のいずれかに記載の遊技機。
手段７によれば、空間部内に画面表示可能な表示部が音声出力部と共に配設されているので、遊技者が表示部に視線を向けることによって両耳が空間部に向くため、音声を一層明瞭に聴取させることができる。
【００８１】
８．前記音声出力部の左右に壁状部材が立設されたことを特徴とする手段１乃至７のいずれかに記載の遊技機。
手段８によれば、音声出力部の左右に壁状部材が立設されているので、音声出力の指向性が向上して当該遊技機の遊技者にはより一層明瞭に音声を聴取させることができると共に、周囲の遊技者からはより一層聴取され難くすることができる。
【００８２】
９．前記音声出力部又はその近傍に発光部が設けられたことを特徴とする手段１乃至８のいずれかに記載の遊技機。
手段９によれば、空間部内に配設された音声出力部又はその近傍に設けられた発光部が発光して音声出力部を目立たせることによって効果的な演出を実現し、遊技の興趣を増大させることができる。
【００８３】
１０．前記発光部は、前記音声出力部に設けられたことを特徴とする手段９に記載の遊技機。
手段１０によれば、音声出力部に設けられた発光部が発光して音声出力部自身を目立たせることによって効果的な演出を実現し、遊技の興趣を増大させることができる。
【００８４】
１１．前記発光部は、前記音声出力部の近傍に設けられ且つその音声出力部を照明可能に構成されたことを特徴とする手段９に記載の遊技機。
手段１１によれば、音声出力部の近傍に設けられた発光部が音声出力部を照明して音声出力部を目立たせることによって効果的な演出を実現し、遊技の興趣を増大させることができる。
【００８５】
１２．前記貯留部は、前記流入口及び前記供給口に連続する底面部と、その底面部の周囲を取り囲むように立設された前壁部と、前記底面部を挟んで前記前壁部と対向して立設され且つ前記前壁部側へ凸状に形成された後壁部とを備え、
前記後壁部と前記本体との間に形成された空間部内に前記音声出力部を配設したことを特徴とする手段１乃至１１のいずれかに記載の遊技機。
手段１２によれば、底面部を挟んで前壁部と対向して立設された後壁部が前壁部側へ凸状に形成されて、後壁部と本体との間に確実に空間部を形成し、その空間部内に音声出力部が配設されるので、当該遊技者に音声を明瞭に聴取させることができると共に、周囲の遊技者からは聴取され難くすることができる。
【００８６】
１３．前記本体は、前記所定の遊技が実行される本体枠と、その本体枠に対して前面側へ開閉可能に設けられ且つ前記上皿が取り付けられる開閉枠とを備え、
前記後壁部と前記開閉枠との間に空間部を形成したことを特徴とする手段１２に記載の遊技機。
手段１３によれば、上皿の後壁部と開閉枠との間に形成された空間部内に音声出力部が配設されるので、当該遊技者に音声を明瞭に聴取させることができると共に、周囲の遊技者からは聴取され難くすることができる。
【００８７】
１４．前記音声出力部は、前記開閉枠に固着されたことを特徴とする手段１３に記載の遊技機。
手段１４によれば、音声出力部を開閉枠に固着した状態で上皿を取り付けることにより、音声出力部が空間部内に配設される構造を容易且つ確実に形成することができる。
【００８８】
１５．前記音声出力部は、前記後壁部に固着されたことを特徴とする手段１３に記載の遊技機。
手段１５によれば、音声出力部を上皿後壁部に固着した状態で上皿を開閉枠に取り付けることにより、音声出力部が空間部内に配設される構造を容易且つ確実に形成することができる。
【００８９】
１６．前記音声出力部は、前記開閉枠と前記後壁部とに固着されたことを特徴とする手段１３に記載の遊技機。
手段１６によれば、音声出力部が開閉枠と後壁部とに固着されているので、音声出力部の取り付け強度が確保され、取り付け状態の安定化を図ることができる。例えば、音声出力部を上皿後壁部に固着した状態で上皿を開閉枠に取り付け、さらに音声出力部を開閉枠に固着することにより、音声出力部が空間部内に配設される構造を容易且つ確実に形成することができる。
【００９０】
１７．前記空間部内に前記後壁部と前記開閉枠とを連結する連結部が架設され、前記音声出力部は前記連結部上に配設されたことを特徴とする手段１３に記載の遊技機。
手段１７によれば、空間部内で後壁部と開閉枠とを連結するように架設された連結部上に音声出力部が配設されることにより、音声出力部が空間部内に配設される構造を容易且つ確実に形成することができる。
【００９１】
１８．前記開閉枠の前面に凹部が形成され、その凹部内に前記音声出力部の少なくとも一部が配設されることを特徴とする手段１３乃至１７のいずれかに記載の遊技機。
手段１８によれば、開閉枠の前面に形成された凹部内に音声出力部の少なくとも一部が配設されるので、サイズの大きな音声出力部でも空間部内に配設することができる。
【００９２】
１９．前記本体は、前記所定の遊技が実行される本体枠と、その本体枠に対して前面側へ開閉可能に設けられ且つ前記上皿が取り付けられる開閉枠とを備え、
前記後壁部と前記本体枠との間に空間部を形成すると共に、前記音声出力部が前記本体枠に固着され且つその音声出力部を前記空間部内へ臨ませる開口部が前記開閉枠に設けられたことを特徴とする手段１２に記載の遊技機。
手段１９によれば、上皿の後壁部と本体枠との間に空間部を形成し、本体枠に固着された音声出力部が開閉枠に設けられた開口部を介して空間部内に臨んでいる。また、音声出力部を開閉枠と別体となるように本体枠側へ配置したことにより、開閉枠の軽量化を図ることができ、開閉枠の開閉作業の負担を軽減することができる。
【００９３】
２０．前記本体枠の前面に凹部が形成され、その凹部内に前記音声出力部の少なくとも一部が配設されることを特徴とする手段１９に記載の遊技機。
手段２０によれば、本体枠の前面に形成された凹部内に音声出力部の少なくとも一部が配設されるので、サイズの大きな音声出力部でも空間部内に配設することができる。
【００９４】
２１．前記開閉枠に前記開口部を覆うと共に多数の小孔が形成された保護カバーが設けられたことを特徴とする手段１９又は２０に記載の遊技機。
手段２１によれば、音声出力部を空間部内へ臨ませる開口部を開閉枠に設けられた保護カバーで覆うことにより、遊技球の落下等から表示部が確実に保護される。また、音声出力部から出力された音声は、保護カバーに形成された多数の小孔を通過するので、遊技者は明瞭に聴取することができる。
【００９５】
２２．前記後壁部の上縁が丸みを帯びた断面形状に形成されたことを特徴とする手段１２乃至２１のいずれかに記載の遊技機。
手段２２に記載の遊技機によれば、後壁部の上縁が丸みを帯びた断面形状に形成されているので、極めて安全性が高い。
【００９６】
２３．前記底面部上に、遊技球を一列に整列させて前記供給口より本体側へ流下させる整流部が設けられたことを特徴とする手段１２乃至２２のいずれかに記載の遊技機。
手段２３によれば、貯留部の底面部上に整流部が設けられているので、遊技球を一列に整列させて供給口より本体側へ流下させることができる。
【００９７】
２４．前記整流部には、前記前壁部側及び前記後壁部側の少なくとも一方に遊技球誘導用の傾斜壁が形成されたことを特徴とする手段２３に記載の遊技機。
手段２４によれば、整流部には、前壁部側及び後壁部側の少なくとも一方に遊技球誘導用の傾斜壁が形成されているので、遊技球が確実に一列に整列され且つ供給口に向かって確実に誘導される。
【００９８】
２５．前記整流部には、前記前壁部側及び前記後壁部側の両方に遊技球誘導用の傾斜壁が形成されたことを特徴とする手段２３に記載の遊技機。
手段２５によれば、整流部において遊技球誘導用の傾斜壁が前壁部側だけでなく、後壁部側にも形成されているので、遊技球が後壁部側で滞ることなく供給口に向かって確実に誘導される。
【００９９】
２６．前記流入口及び前記供給口は、前記貯留部の後端で左右に離間して設けられ、前記後壁部は、前記流入口と前記供給口との間に形成されたことを特徴とする手段２３乃至２５のいずれかに記載の遊技機。
手段２６によれば、貯留部の後端で左右に離間して設けられ流入口と供給口との間に底面部を挟んで前壁部と対向して後壁部が立設され且つその後壁部が前壁部側へ凸状に形成されているので、後壁部と本体との間に確実に空間が形成される。
【０１００】
２７．前記整流部は、前記底面部上で前後方向に延設され且つ前方側から前記供給口が設けられる後方側に向かって下り傾斜する直線部を備えたことを特徴とする手段２６に記載の遊技機。
手段２７によれば、流入口から底面部上に流入した遊技球は、前壁部側へ凸状に形成された後壁部を迂回して供給口へ向かう経路に沿って転動し、底面部上で前後方向に延設され且つ前方側から供給口が設けられる後方側に向かって下り傾斜する整流部の直線部において一列に円滑に整列されて供給口より本体側へ確実に流下する。
【０１０１】
２８．前記整流部は、前記底面部上で前記供給口に対して前記払出口とは反対側にて左右方向に延設され且つ前記供給口が設けられる方向に向かって下り傾斜する直線部を備えたことを特徴とする手段２６に記載の遊技機。
手段２８によれば、流入口から底面部上に流入した遊技球は、前壁部側へ凸状に形成された後壁部を迂回して供給口へ向かう経路に沿って転動し、底面部上で供給口に対して払出口とは反対側にて左右方向に延設され且つ供給口が設けられる方向に向かって下り傾斜する整流部の直線部において一列に円滑に整列されて供給口より本体側へ確実に流下する。
【０１０２】
２９．前記整流部は、前記底面部上で前記本体に対して斜め方向に延設され且つ前方側から前記供給口が設けられる後方側に向かって下り傾斜する直線部を備えたことを特徴とする手段２６に記載の遊技機。
手段２９によれば、流入口から底面部上に流入した遊技球は、前壁部側へ凸状に形成された後壁部を迂回して供給口へ向かう経路に沿って転動し、底面部上で本体に対して斜め方向に延設され且つ前方側から供給口が設けられる後方側に向かって下り傾斜する整流部の直線部において一列に円滑に整列されて供給口より本体側へ確実に流下する。
【０１０３】
３０．前記整流部は、前記底面部上で前記払出口から前記供給口に至る曲線状の経路に沿って延設され且つ前方側から前記供給口が設けられる後方側に向かって下り傾斜する曲線部を備えたことを特徴とする手段２６に記載の遊技機。
手段３０によれば、流入口から底面部上に流入した遊技球は、前壁部側へ凸状に形成された後壁部を迂回して供給口へ向かう経路に沿って転動し、底面部上で払出口から供給口に至る曲線状の経路に沿って延設され且つ前方側から供給口が設けられる後方側に向かって下り傾斜する整流部の曲線部において一列に円滑に整列されて供給口より本体側へ確実に流下する。
【０１０４】
３１．前記流入口及び前記供給口は、前記貯留部の後端で左右に離間して設けられ、前記空間部は、前記流入口と前記供給口との間に形成されたことを特徴とする手段１乃至３０のいずれかに記載の遊技機。
手段３１によれば、貯留部の後端で左右に離間して設けられた流入口と供給口との間に空間部を形成したので、空間部のサイズを大きくして音声出力部の配設空間を充分に確保することができる。
【０１０５】
３２．前記空間部は、前記貯留部の左右方向中央に形成されたことを特徴とする手段３１に記載の遊技機。
手段３２によれば、空間部が貯留部の左右方向中央に形成されているので、貯留部において左右均等な強度を確保することができる。
【０１０６】
３３．前記貯留部の全体形状が、前記流入口側と前記供給口側とを両端とし且つ前方側へ湾曲するアーチ状に形成されたことを特徴とする手段３１又は３２に記載の遊技機。
手段３３によれば、貯留部の全体形状が流入口側と供給口側とを両端とし且つ前方側へ湾曲するアーチ状に形成されているので、アーチ形状の内周側部分となる貯留部と本体との間に確実に空間部を形成することができる。
【０１０７】
３４．前記遊技機は、パチンコ遊技機であることを特徴とする手段１乃至３３のいずれかに記載の遊技機。
手段３４によれば、パチンコ遊技機において、当該遊技者に音声を明瞭に聴取させることができると共に、音声が周囲に広がり難くすることができる。
【０１０８】
３５．前記上皿は、遊技盤を臨む窓部にガラスを設けたガラス扉枠に取り付けられたことを特徴とする手段３４に記載の遊技機。
手段３５によれば、上皿をガラス扉枠に取り付けたパチンコ遊技機において、当該遊技者に音声を明瞭に聴取させることができると共に、周囲の遊技者からは聴取され難くすることができる。
【０１０９】
３６．前記上皿は、遊技盤を臨む窓部にガラスが設けられたガラス扉枠の下方にてそのガラス扉枠とは別体で設けられた上皿板に取り付けられたことを特徴とする手段３５に記載の遊技機。
手段３６によれば、上皿をガラス扉枠とは別体の上皿板に取り付けたパチンコ遊技機において、当該遊技者に音声を明瞭に聴取させることができると共に、周囲の遊技者からは聴取され難くすることができる。
【０１１０】
３７．前記遊技機は、複数種類の図柄が表示された複数の回転リールを有し、前記各回転リールの回転停止時の図柄の組合わせに基づく入賞態様に応じて遊技球が払い出されるパロット遊技機であることを特徴とする手段１乃至２２，３１乃至３３のいずれかに記載の遊技機。
手段３７によれば、パロット遊技機において、当該遊技者に音声を明瞭に聴取させることができると共に、周囲の遊技者からは聴取され難くすることができる。
【０１１１】
以上に説明した基本発明の遊技機では、スピーカ５９を遊技球を貯留する上皿５４の後壁部５４ｄとガラス扉枠４との間に形成された空間部５４ｈ内に配設することにより、その遊技機で遊技する遊技者に音声（演出音）を明瞭に聴取させると共に、周囲の遊技者からは聴取され難くするという課題を解決しているが、本発明はその遊技機が発する耳障りな騒音を消音することで、スピーカ（演出音出力手段）から出力する演出音をその遊技者ができるだけ明瞭に聴取することができるようにするといった課題を解決すべく、この基本発明に代えて遊技機に適用するものである。
【０１１２】
以下、本発明の具体的な実施形態について図面を用いて説明するが、上記の基本発明の実施形態で説明した構成と同様の構成については、同じ符号を付することで重複した説明は省略する。
【０１１３】
本発明の遊技機はＡＮＣ技術を用い、その遊技機が発する騒音、特に遊技機の盤面やガラス面（ガラス扉）から発生する音、より具体的には役物を動かすための駆動音や役物の駆動に伴って発生する動作音、遊技球が植設された釘にはじかれる音や役物などと衝突する音、遊技球がガラス面に当たる音や、貯留皿を遊技球が流下する音など遊技者にとって耳障りな騒音を対象として消音することで上記課題を解決したものである。
【０１１４】
そのため本発明のパチンコ機は、演出音を出力するスピーカ（演出音出力手段）、騒音と逆位相の抑圧音を出力するスピーカ（抑圧音出力手段）、騒音を集音するマイクロホン（集音手段）の配置や位置などを工夫することで、当該遊技機の遊技者にその遊技機の演出音を明瞭に聴取できるようにしたものである。
【０１１５】
（実施例１）
図１９に本実施例の遊技機（パチンコ機）の外観斜視図を示した。図に示したように、この遊技機３０１の上部二隅には演出音を出力するための演出出力手段７１である演出音用スピーカが配設されており、また、遊技球を貯留する上皿１５４（貯留皿）が形成された貯留皿形成台２５４上には抑圧音を出力するための抑圧音出力手段７４である抑圧音用スピーカが設けられている。なお遊技領域を覆うガラス扉のガラス面４ａの裏面には、その振動を検出することで遊技者の前方で発生する騒音を集音するための集音手段７２（破線）であるマイクロホンが貼り付けられているが、そのマイクロホンは隠れた位置に設けられているため外観には表れていない。
【０１１６】
図２０に本実施例の遊技機のＡＮＣ技術に関する基本構成をブロック図で示した。本実施例の遊技機３０１は、遊技状態に応じた演出音を遊技者に向けて出力する演出音出力手段７１（演出音用スピーカ）と、ガラス面４ａの振動を検出して騒音を集音する集音手段７２（マイクロホン）と、集音手段７２によって集音した騒音と逆位相の抑圧音を生成するための抑圧音生成手段７３（抑圧音生成回路）と、抑圧音を指向性を高めて出力する抑圧音出力手段（抑圧音用スピーカ）７４と、を備えている。
【０１１７】
演出音出力手段７１は、遊技機内部の音声制御基板からの出力信号に基づき遊技状態に応じた演出音を出力するための遊技機正面の上部二隅に配設された２つのスピーカ（図１９参照）であり、遊技者の頭部のできるだけ近くから、右側のスピーカの音（右耳用の演出音）は主に遊技者の右耳へ、左側のスピーカの音（左耳用の演出音）は主に遊技者の左耳へ届き、周囲への音の拡散ができるだけ少なくなるような構成となっている。すなわち各スピーカは遊技機のガラス面４ａよりも１０ｃｍ程度遊技者の頭部方向に突起した状態で配設されており、右側のスピーカは遊技者の右耳に向けられ、左側のスピーカは遊技者の左耳に向けられている。このスピーカ部分の水平方向断面図である図２１に示しように、スピーカ本体８１はお椀型に形成された窪である凹部８２の底に配置され、凹部８２の壁面で反射した音はできるだけ指向性を高めて遊技者の耳に効率的に届くようになっている。また凹部８２の前面には凹部８２の開口部に垂直方向に並んだルーバー状の仕切り８３が形成され、さらに凹部８２の遊技機側面側の半分程度の部分に前方に突起・湾曲して凹部８２を１／３程度覆う囲い壁８４が設けられており、この仕切り８３および囲い壁８４によっても演出音の指向性が高められ、隣に座った遊技者にその遊技機の演出音が聴こえ難くなるようになっている。なおこのような構造のスピーカ以外にも、もちろんスピーカ自体にいわゆる指向性スピーカを採用することもできる。また本実施例では演出音出力手段７１は遊技機正面の上部二隅に配設されているものとしたが、それ以外にも遊技者の頭部のできるだけ近くから演出音を出力することができればその配置や個数が限定されることはない。ただし、その遊技機がスピーカから発する演出音ができるだけ他の遊技機の遊技者、特に左右隣に座る遊技者に聴こえ難くしてやることが、ホール全体の騒音を低減する上では重要である。
【０１１８】
集音手段７２は、遊技者の前方から聴こえる騒音、より具体的には遊技機の盤面内で発生しガラス面４ａを伝達して遊技者に聴こえる騒音、すなわち役物を動かすための駆動音や役物の駆動に伴って発生する動作音、遊技球が植設された釘にはじかれる音や役物などと衝突する音、遊技球がガラス面４ａに当たる音など遊技機の盤面内部で発生する音の他、貯留皿（上皿１５４）を遊技球が流下する際に生じガラス面４ａで反射して遊技者に届く音などを集音するために、ガラス面４ａに貼り付けられたマイクロホンである。このマイクロホンは図１９に破線で表したように、ガラス面４ａ裏面の下部位置でその前方が電飾装置などに覆われて遊技者からは見えない箇所に設けられている。このマイクロホンにはコンデンサ型のものが用いられ、検出された振動は電気信号に変換される。またこのマイクロホンは遊技機内部の音声制御基板（図示せず）と電気的に接続されており、音声制御基板の抑圧音生成回路はマイクロホンから送信された電気信号を受信する。
なお上述した演出音出力手段７１から出力される演出音は、上述したようにできるだけ周囲に拡散しないように遊技者の頭部に向かって出力されるため、その演出音が集音手段７２によって集音されて消音の対象となることは殆どない。
【０１１９】
抑圧音生成手段７３は集音手段７２で集音した騒音と逆位相の抑圧音を生成するために、遊技機内部の音声制御基板に設けられたデジタルフィルタ等により構成された位相反転回路および可変抵抗器等を備えた増幅回路からなる抑圧音生成回路と、音声データの調整を行う処理プログラムである。
抑圧音生成手段７３は、集音手段７２により集音した騒音と逆位相で同じ音圧レベルの抑圧音の音声データを生成する。すなわち生成された抑圧音は、遊技者が聴取すると考えられる騒音と遊技者の左右の耳があると想定される位置で逆位相となり、かつ、同じ振幅（音圧レベル）の波形となるように、騒音のデータを位相反転回路および増幅回路で処理しつつ遊技者の左右の耳と以下に説明する抑圧音出力手段７４（抑圧音用スピーカ）との距離を考慮した位相補正を行ったものである。
また抑圧音生成手段７３には、遊技機３０１を設置した設置島において実際に人の聴覚を用いた知覚テストにより遊技者が聴く騒音が一番小さくなるように、生成した抑圧音の位相や音圧レベルの微調整を行うことができるようにプログラムが組まれている。そのため、例えば音声制御基板に設けた調整用ツマミからの入力などによって抑圧音の位相や音圧レベルの微調整を行うことができるようになっている。
また、遊技者本人が自分の好みに合わせて抑圧音の位相や音圧レベルの微調整を行うことができるように調整用ボタン（相調整機構および音量調整機構）などを遊技機に設けてやることも好ましい。これにより例えば遊技者の身長の違いに起因した騒音の聴こえ方の違い等にも対応して効果的に騒音の消音を行うことができるようになる。
【０１２０】
抑圧音出力手段７４は遊技機内部の音声制御基板に電気的に接続され、抑圧音生成手段７３によって生成された抑圧音を指向性を高めて出力するためのスピーカであり、図１９に示したように貯留皿形成台２５４上から遊技者の頭部方向に倒立して伸長する傾斜壁９０に設けられている。この傾斜壁９０は遊技機の幅方向に伸長して形成された貯留皿形成台２５４と一体的に形成されており、遊技者が椅子に座った状態で円形の盤面を目視する際に視界の邪魔とならないように、かつ、できるだけ抑圧音出力手段７４が遊技者の耳に近くなるよう、貯留皿形成台２５４からその左右端側が２０ｃｍ程度、中央部分が１２ｃｍ程度高くなり、また、垂直方向から３０°程度の傾斜角で遊技者の頭部側に伸長するように傾斜した状態で、その上端が滑らかに湾曲して形成されている。そして傾斜壁９０の高くなるよう形成された左右上端部に、右側のスピーカが遊技者の右耳に向け左側のスピーカが遊技者の左耳に向けて指向性を高めて抑圧音を出力するようになっている。
【０１２１】
またこの傾斜壁９０の左右上端部に設けられたスピーカの間の中央位置は、遊技者が椅子から立ち上がる際の持ち手となる掴み部９１となっている。この掴み部９１は抑圧音用スピーカ７４の上面を覆うメッシュ状のカバーと一連するように滑らかな曲面により形成されている。
【０１２２】
図２２は遊技者の耳と騒音が聴こえる遊技機３０１のガラス面４ａとの位置および距離との関係を一部を透視した状態で示した側面図である。この図からも分かるように騒音源からガラス面４ａに貼り付けられた集音手段７２であるマイクロホンまでの距離は、盤面内部で生じる役物を動かすための駆動音や役物の駆動に伴って発生する動作音、遊技球が植設された釘にはじかれる音や役物などと衝突する音など遊技機の盤面内部で発生する騒音や、遊技球がガラス面４ａに当たる音などの騒音については０と考えることができる。また、上皿１５４（貯留皿）を遊技球が流下する際に生じる騒音についてもガラス面４ａとの距離Ｂは１０ｃｍ程度である。またガラス面４ａの中央部から遊技者の耳までの距離Ｌは、貯留皿形成台２５４上部に設けられた抑圧音出力手段７４から遊技者の耳までの距離ｌとほぼ同じか、もしくは距離ｌが距離Ｌよりも１０ｃｍ程度短くなっている。このように騒音源（盤面）から集音手段７２までの距離と抑圧音出力手段７４から遊技者の耳までの距離との和と、抑圧音出力手段７４から遊技者の耳までの距離をほぼ同じとし、集音手段７２によって集音した騒音を抑圧音生成手段７３によって処理して生成した逆位相の抑圧音を、抑圧音出力手段７４からリアルタイムで出力してやることで、遊技者の耳の位置で騒音と抑圧音とをちょうどよいタイミングで干渉させることが容易となる。また騒音源となるガラス面４ａの中央部と遊技者の耳とを結ぶ軸線と、抑圧音出力手段７４と遊技者の耳とを結ぶ軸線とを、できるだけ近い位置関係とできるため、アクティブ消音をより効果的に行わせることができる。
さらに本実施例の遊技機では、上皿１５４からガラス面４ａに貼り付けた集音手段７２までの距離Ｂと抑圧音出力手段から遊技者の耳までの距離ｌとの和は、上皿１５４から遊技者の耳までの距離とほぼ同じと考えることができ、また、上皿１５４と遊技者の耳とを結ぶ軸線と抑圧音出力手段７４と遊技者の耳とを結ぶ軸線はほぼ一致するため、上皿１５４を遊技球が流下する際に発生し遊技者の耳に直接到達する騒音についても、上皿１５４と遊技者の耳とを結ぶ同一の軸線上でその騒音と抑圧音とを干渉させて消音を行うことができ、上皿１５４から直接聴こえてくる騒音（上皿を遊技球が流下する際の騒音）をアクティブ消音によりより効果的に消音することができる。
【０１２３】
なお抑圧音は遊技者の頭部に向けて下方から上側を向けて指向性を高めて出力されるため、例えば隣の遊技機で遊技する人や対面する遊技島で遊技する人などに抑圧音が煩わしく聴こえることは殆どない。
【０１２４】
以上に説明したように本実施例の遊技機は、（１）演出音出力手段７１が、遊技者の耳に近い位置から周囲への音の拡散ができるだけ少なくなるように演出音を出力し、（２）集音手段７２により遊技機のガラス面４ａの振動を検出することにより遊技者の前方で発生する騒音を集音する一方、遊技者本人が遊技する遊技機の演出音はほとんど集音せず、（３）抑圧音出力手段７４を貯留皿形成台２５４上から遊技者の頭部方向に倒立して伸長する傾斜壁９０の上端部に設け抑圧音を指向性を高めて遊技者頭部に近い位置から出力することで、アクティブ消音を効果的に行うことができるのみならず、抑圧音を周囲の他の遊技者に聴き取られにくくすることもでき、比較的広い開空間であるパチンコホールにおいてもアクティブ消音の効果を十分に発揮させることができる。
そして遊技者の前方からの騒音が効果的に消音されると、遊技者は自身が遊技する遊技機の演出音をはっきりと聴取することができるようになるため、演出音の音量を下げることも可能となり、結果としてホール内の騒音を低減することもできる。
【０１２５】
（実施例２）
図２３に本実施例の遊技機の外観を斜視図で示した。本実施例の遊技機４０１は実施例１の遊技機と同様に貯留皿形成台２５４上から遊技者の頭部方向に倒立して伸長する傾斜壁９０が形成されている一方、集音手段７２はガラス面４ａに貼り付けられておらず、この傾斜壁９０の上端部近傍に設置されている点が実施例１の遊技機と相違する。
【０１２６】
演出音出力手段７１や抑圧音生成手段７３（相調整機構および音量調整機構も含む。）、抑圧音出力手段７４は実施例１の遊技機と同様のものであるためその説明は省略する。
【０１２７】
集音手段７２は、遊技機内部の音声制御基板に電気的に接続されたマイクロホンであり、図２３に示したように貯留皿形成台２５４上から遊技者の頭部方向に倒立して伸長する傾斜壁９０の上端近傍の中央部分に設けられている。この傾斜壁９０は実施例１の遊技機と同様に、その左右端側が高く中央部分が低く、また、垂直方向から３０°程度の傾斜角で遊技者の頭部側に伸長するように傾斜した状態でその上端が湾曲して形成されており、そして傾斜壁９０の高く形成された左右上端部に抑圧音出力手段７４であるスピーカが、傾斜壁９０の若干低くなった中央部分にガラス面４ａ方向および上皿１５４方向からの音を集音する集音手段７２であるマイクロホンが取り付けられている。
【０１２８】
図２４に遊技者の耳、騒音が聴こえる遊技機のガラス面４ａ、集音手段７２、抑圧音出力手段７４との位置および距離との関係を側面図により示した。この図からも分かるようにほぼ騒音源と同一視できるガラス面４ａから傾斜壁９０に設けられた集音手段７２までの距離ｄと抑圧音出力手段７４から遊技者の耳までの距離ｌとの和は、ガラス面４ａの中央部から遊技者の耳までの距離Ｌとほぼ同じと考えることができる。そのため、ガラス面４ａ側から聴こえる騒音を抑圧音出力手段７４からリアルタイムで出力した抑圧音とをちょうどよいタイミングで干渉させることが容易になる。
また本実施例の遊技機４０１では、上皿１５４から傾斜壁９０に設けられた集音手段７２までの距離ｂと抑圧音出力手段７４から遊技者の耳までの距離ｌとの和は、貯留皿から遊技者の耳までの距離とほぼ同じであり、また、上皿１５４と遊技者の耳とを結ぶ軸線と抑圧音出力手段７４と遊技者の耳とを結ぶ軸線はほぼ一致するため、上皿１５４を遊技球が流下する際に発生し遊技者の耳に直接到達する騒音についても、その至近距離で、かつ、上皿１５４と遊技者の耳とを結ぶ同一の軸線上で集音し、同一の軸線上でその騒音と抑圧音とを干渉させて消音を行うことができ、上皿１５４から直接聴こえてくる騒音（上皿１５４を遊技球が流下する際の騒音）をより効果的に消音することができる。
【０１２９】
（実施例３）
図２５に本実施例の遊技機の外観を斜視図で示した。本実施例の遊技機５０１は実施例２の遊技機と同様に貯留皿形成台２５４上に形成された傾斜壁９０の上端部近傍に集音手段７２であるマイクロホンが設置されていることは共通する一方、傾斜壁９０には抑圧音出力手段７４は設けられておらず、遊技機の上部二隅に配設された演出音出力手段７１であるスピーカが抑圧音出力手段７４をも兼用する。そしてこのスピーカからは演出音と抑圧音とを合成した合成音が出力されることになる。
【０１３０】
図２６に遊技者の耳、騒音が聴こえる遊技機のガラス面４ａ、集音手段７２、抑圧音出力手段７４（演出音出力手段７１）との位置および距離との関係を側面図により示した。図からも分かるようにほぼ騒音源と同一視できるガラス面４ａから傾斜壁９０に設けられた集音手段７２までの距離ｄと抑圧音出力手段７４から遊技者の耳までの距離ｌ’との和は、ガラス面４ａの中央部から遊技者の耳までの距離Ｌとほぼ同じになっている。このように騒音源から集音手段７２までの距離と抑圧音出力手段７４から遊技者の耳までの距離との和と、抑圧音出力手段７４から遊技者の耳までの距離をほぼ同じとすることで、集音手段７２によって集音した騒音を抑圧音生成手段７３によって処理して生成した逆位相の抑圧音をリアルタイムに抑圧音出力手段７４から出力して遊技者の耳の位置で騒音と抑圧音とを干渉させることにより、ちょうどよいタイミングで騒音と抑圧音とを干渉させてアクティブ消音を効果的に行うことができるようになる。
また上皿１５４から傾斜壁９０に設けられた集音手段７２までの距離ｂと抑圧音出力手段７４から遊技者の耳までの距離ｌ’との和は、上皿１５４から遊技者の耳までの距離とほぼ同じと考えることができるため、本実施例の遊技機では、上皿１５４を遊技球が流下する際に発生する騒音についてもその至近距離で集音し、その騒音と抑圧音とをちょうどよいタイミングで遊技者の耳付近で干渉させることで、上皿１５４から直接聴こえてくる騒音（上皿１５４を遊技球が流下する際の騒音）をより効果的に消音することができる。
【０１３１】
このように本実施例では抑圧音と演出音とを合成音とし、演出音出力手段７１および抑圧音出力手段７４を兼用する遊技機の上部二隅のスピーカから出力することで、遊技機の構成を簡素化しつつ、アクティブ消音の効果を効果的に発揮させることができる。
【０１３２】
なお図面は省略するが、本実施例の変形例として、本実施例で傾斜壁９０に設けられた集音手段７２を実施例１の遊技機のようにガラス面４ａに貼り付けたものとしてやることも可能である。この場合、上皿形成台に傾斜壁９０を形成する必要はなくなるが、このことは傾斜壁９０を形成することを禁止するものではないことはもちろんである。
【０１３３】
（付記）
最後に確認事項として上述した実施の形態から抽出される特徴について、必要に応じて効果等を示しつつ説明する。
【０１３４】
［遊技機１］
遊技状態に応じた演出音を遊技者に向けて出力する演出音出力手段と、所定箇所の騒音を集音する集音手段と、該集音手段によって集音した騒音と逆位相の抑圧音を生成するための抑圧音生成手段と、抑圧音を指向性を高めて出力する抑圧音出力手段と、を備え、
前記集音手段は遊技領域を覆うガラス面の振動を検出することにより遊技者の前方で発生する騒音を集音し、
前記抑圧音出力手段は発射装置に供給する遊技球を貯留するための貯留皿が形成された貯留皿形成台の上部に設置されて遊技者の頭部に向けて抑圧音を出力する、ことを特徴とする遊技機。
【０１３５】
遊技機１によれば、ガラス面の振動を検出することで自身が遊技する遊技機の演出音はほとんど集音することなく遊技者前方方向からの騒音のみを集音し、その騒音と逆位相となる抑圧音を貯留皿形成台の上部から出力し、抑圧音と騒音とを近似した軸線上で干渉させることで、周囲に抑圧音をできるだけ拡散させずに、その騒音のみについてアクティブ消音の効果を十分に発揮させることができ、これにより遊技者にその遊技機の演出音をはっきりと聴取させることができるようになる。
【０１３６】
［遊技機２］
遊技状態に応じた演出音を遊技者に向けて出力する演出音出力手段と、所定箇所の騒音を集音する集音手段と、該集音手段によって集音した騒音と逆位相の抑圧音を生成するための抑圧音生成手段と、抑圧音を指向性を高めて出力する抑圧音出力手段と、を備え、
前記集音手段は発射装置に供給する遊技球を貯留するための貯留皿が形成された貯留皿形成台の上部に設置されて遊技者の前方で発生する騒音を集音し、
前記抑圧音出力手段７４は遊技機の上端部近傍に設置されて遊技者の頭部に向けて抑圧音を出力する、ことを特徴とする遊技機。
【０１３７】
遊技機２によれば、遊技機１と同様に自身が遊技する遊技機の演出音はほとんど集音することなく遊技者前方方向からの騒音や貯留皿を遊技球が流下する際に発生する騒音を効率的に集音し、その騒音と逆位相となる抑圧音を貯留皿形成台の上部から出力し、抑圧音と騒音とを近似した軸線上で干渉させることで、周囲に抑圧音をできるだけ拡散させずに、その騒音のみについてアクティブ消音の効果を十分に発揮させることができる。
【０１３８】
［遊技機３］
上記遊技機１又は２において、騒音源から前記集音手段までの距離と前記抑圧音出力手段から遊技者の耳までの距離との和は、該騒音源から遊技者の耳までの距離とほぼ同じである、ことを特徴とする遊技機。
【０１３９】
遊技機３によれば、騒音源から集音手段までの距離と抑圧音出力手段から遊技者の耳までの距離との和を、音源から遊技者の耳までの距離とほぼ同じとなるようにすることで、抑圧音生成手段による抑圧音の生成と抑圧音出力手段からの抑圧音の出力をリアルタイムで行うことで、騒音と抑圧音とがちょうどよいタイミングで遊技者の耳の位置で逆位相となるように干渉させることができ、アクティブ消音の効果を十分に発揮させることができる。
【０１４０】
［遊技機４］
上記遊技機１又は２において、前記抑圧音出力手段は、貯留皿形成台上から遊技者の頭部方向に倒立して伸長する傾斜壁に設けられている、ことを特徴とする遊技機。
【０１４１】
遊技機４によれば、貯留皿形成台上から遊技者の頭部方向に倒立して伸長する傾斜壁に抑圧音出力手段を設けることで、できるだけ遊技者の耳に近い位置で、かつ、騒音源と遊技者の耳を結ぶ軸線に近似した位置に抑圧音出力手段を位置させることができ、これにより比較的広い開空間であるパチンコホールにおいても、周囲にほとんど抑圧音を拡散させることなくその騒音のみについてアクティブ消音の効果を十分に発揮させることができる。
【０１４２】
［遊技機５］
上記遊技機２において、前記集音手段は、貯留皿形成台上から遊技者の頭部方向に倒立して伸長する傾斜壁に設けられている、ことを特徴とする遊技機。
【０１４３】
遊技機５によれば、貯留皿形成台上から遊技者の頭部方向に倒立して伸長する傾斜壁に集音手段を設けることで、ガラス面からの騒音とともに貯留皿を遊技球が流下する際に発生する騒音も効率的に集音することができるため、その騒音をも効果的にアクティブ消音することができる。
【０１４４】
［遊技機６］
上記遊技機４又は５において、前記傾斜壁には遊技者が椅子から立ち上がる際の持ち手となる掴み部が形成されている、ことを特徴とする遊技機。
【０１４５】
遊技機６によれば、傾斜壁を抑圧音出力手段や集音手段を配置するためのものだけではなく、遊技者が椅子から立ち上がる際の持ち手としても利用してやることで、特に年配者等の身体的負担を軽減してやることができる。
【０１４６】
［遊技機７］
上記遊技機１又は２において、前記抑圧音出力手段から出力する抑圧音の位相の調整を行う位相調整機構を備えた、ことを特徴とする遊技機。
【０１４７】
遊技機７によれば、遊技者の身長の相違などの関係から騒音と抑圧音とが遊技者の耳の位置でちょうど逆位相で干渉しないこともあるため、位相の調整を可能としてやることでこれに対処することができる。
【０１４８】
［遊技機８］
上記遊技機１又は２において、前記抑圧音出力手段から出力する抑圧音の音量の調整を行う音量調整機構を備えた、ことを特徴とする遊技機。
【０１４９】
遊技機８によれば、騒音や抑圧音の聴こえ方には個体差や個人差があるため、抑圧音の音量の調整を可能としてやることでこれに対処することができる。
【０１５０】
以上のようにこれらの遊技機１〜８では、比較的広い開空間であるパチンコホールにおいても、アクティブ消音の効果を十分に発揮させることができ、これにより自分が遊技する遊技機の演出音をはっきりと聴き取ることができるようなる。そのため演出音の音量も下げることができるようになり、結果としてホール内の騒音を低減することができる。
【産業上の利用可能性】
【０１５１】
本発明は上記形態とは異なるタイプの遊技機、具体的には遊技媒体として遊技球を用いる弾球式の遊技機いわゆるパチンコ機全般に本発明を適応してやることができる。例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、パロット、アレンジボール機、雀球等の遊技機として本発明を実施するようにしても良い。
【符号の説明】
【０１５２】
１  パチンコ遊技機（遊技機）
３  前面枠（本体枠、本体）
４  ガラス扉枠（開閉枠、本体）
４ａ  ガラス面
５３  下皿
５４  上皿
５９  スピーカ
５９ａ スピーカ本体
５９ｂ  ケース
５９ｃ  ＬＥＤ（発光部）
５９ｄ  電球
７１  演出音出力手段（演出音用スピーカ）
７２  集音手段（マイクロホン）
７３  抑圧音生成手段（抑圧音生成回路）
７４  抑圧音出力手段（抑圧音用スピーカ）
８１  スピーカ本体
８２  凹部
８３  仕切り
８４  囲い壁
８５  マイクロホン
９０  傾斜壁
９１  掴み部
１０１  パロット遊技機（遊技機）
１２０  本体枠（本体）
１５４  上皿（貯留皿）
２５４  貯留皿形成台
３０１，４０１，５０１  遊技機
【図１】
2015188575.tif 000003
【図２】
2015188575.tif 000004
【図３】
2015188575.tif 000005
【図４】
2015188575.tif 000006
【図５】
2015188575.tif 000007
【図６】
2015188575.tif 000008
【図７】
2015188575.tif 000009
【図８】
2015188575.tif 000010
【図９】
2015188575.tif 000011
【図１０】
2015188575.tif 000012
【図１１】
2015188575.tif 000013
【図１２】
2015188575.tif 000014
【図１３】
2015188575.tif 000015
【図１４】
2015188575.tif 000016
【図１５】
2015188575.tif 000017
【図１６】
2015188575.tif 000018
【図１７】
2015188575.tif 000019
【図１８】
2015188575.tif 000020
【図１９】
2015188575.tif 000021
【図２０】
2015188575.tif 000022
【図２１】
2015188575.tif 000023
【図２２】
2015188575.tif 000024
【図２３】
2015188575.tif 000025
【図２４】
2015188575.tif 000026
【図２５】
2015188575.tif 000027
【図２６】
2015188575.tif 000028
【図２７】
2015188575.tif 000029